(57)【要約】【課題】  より大きな荷重に対応できると共に、意匠性も良い建具の提供。【解決手段】  建具枠１と、建具枠１を躯体８ａに取付けるブラケット２とを備え、ブラケット２は、建具枠１に取付く建具枠取付部３と、躯体８ａに取付く躯体取付部４と、建具枠取付部３と躯体取付部４とをつなぐスライド部５とを有し、スライド部５は、建具枠取付部３に対して建具枠１の縁に沿う面内方向にスライド自在である。【選択図】      図１
2020186576.tif 000002
【特許請求の範囲】
【請求項１】
建具枠と、建具枠を躯体に取付けるブラケットとを備え、ブラケットは、建具枠に取付く建具枠取付部と、躯体に取付く躯体取付部と、建具枠取付部と躯体取付部とをつなぐスライド部とを有し、スライド部は、建具枠取付部に対して建具枠の縁に沿う面内方向にスライド自在であることを特徴とする建具。
【請求項２】
方立又は縦枠よりなる縦材と、縦材を躯体に取付けるブラケットとを備え、ブラケットは、縦材に取付く縦材取付部と、躯体に取付く躯体取付部と、縦材取付部と躯体取付部とをつなぐスライド部とを有し、スライド部は、躯体取付部に対して上下方向にスライド自在であることを特徴とする建具。
【発明の詳細な説明】
【技術分野】
【０００１】
本発明は、建物の開口部に取付けられる建具に関する。
【背景技術】
【０００２】
従来より、方立と無目とからなる開口部にガラスを嵌め込んだカーテンウォールが知られている（例えば、非特許文献１参照。）。かかるカーテンウォールは、地震等により建物に大きな荷重がかかった際に開口部が変形し、それに伴ってガラスが破損するおそれがあり、ガラスの破損を防ぐために、エッジクリアランス（ガラスの小口とガラス間口の底面間の隙間）を大きくする必要がある。しかし、エッジクリアランスを大きくすると、方立や無目の見付寸法が大きくなり、意匠性が低下する。
【先行技術文献】
【非特許文献】
【０００３】
【非特許文献１】三協立山株式会社 三協アルミ社発行のカタログ「カーテンウォール 総合カタログ」（カタログＮｏ．ＳＴＢ０２６１Ｉ  ＹＰ．１５．０７−０３０）、２０１５年７月、ｐ．２６
【発明の概要】
【発明が解決しようとする課題】
【０００４】
本発明は以上に述べた実情に鑑み、より大きな荷重に対応できると共に、意匠性も良い建具の提供を目的とする。
【課題を解決するための手段】
【０００５】
上記の課題を達成するために請求項１記載の発明による建具は、建具枠と、建具枠を躯体に取付けるブラケットとを備え、ブラケットは、建具枠に取付く建具枠取付部と、躯体に取付く躯体取付部と、建具枠取付部と躯体取付部とをつなぐスライド部とを有し、スライド部は、建具枠取付部に対して建具枠の縁に沿う面内方向にスライド自在であることを特徴とする。
【０００６】
請求項２記載の発明による建具は、方立又は縦枠よりなる縦材と、縦材を躯体に取付けるブラケットとを備え、ブラケットは、縦材に取付く縦材取付部と、躯体に取付く躯体取付部と、縦材取付部と躯体取付部とをつなぐスライド部とを有し、スライド部は、躯体取付部に対して上下方向にスライド自在であることを特徴とする。
【発明の効果】
【０００７】
請求項１記載の発明による建具は、建具枠と、建具枠を躯体に取付けるブラケットとを備え、ブラケットは、建具枠に取付く建具枠取付部と、躯体に取付く躯体取付部と、建具枠取付部と躯体取付部とをつなぐスライド部とを有し、スライド部は、建具枠取付部に対して建具枠の縁に沿う面内方向にスライド自在であることで、建物に大きな荷重が加わって躯体が変形しても、スライド部が建具枠の縁に沿う面内方向にスライドすることで建具枠の変形を抑え、ガラスの破損を防ぐことができる。また、エッジクリアランスを大きく取る必要がないため、意匠性も良い。
【０００８】
請求項２記載の発明による建具は、方立又は縦枠よりなる縦材と、縦材を躯体に取付けるブラケットとを備え、ブラケットは、縦材に取付く縦材取付部と、躯体に取付く躯体取付部と、縦材取付部と躯体取付部とをつなぐスライド部とを有し、スライド部は、躯体取付部に対して上下方向にスライド自在であることで、建物に大きな荷重が加わって躯体が変形しても、スライド部が上下方向にスライドすることで縦材の変形を抑え、ガラスの破損を防ぐことができる。また、エッジクリアランスを大きく取る必要がないため、意匠性も良い。
【図面の簡単な説明】
【０００９】
【図１】本発明の建具の第１実施形態を示す縦断面図である。
【図２】同建具の室内側正面図である。
【図３】（ａ）は建具枠の上部を躯体に連結するブラケットを斜め上方から見た斜視図であり、（ｂ）は同ブラケットを斜め下方から見た斜視図である。
【図４】同建具の室内側正面図であって、地震により建具枠上側の躯体が建具枠下側の躯体に対して右方向及び上方に移動したときの状態を示す。
【図５】本発明の建具の第２実施形態を示す縦断面図であって、（ａ）は正規状態、（ｂ）は梁が１００ｍｍ下がったときの状態を示している。
【図６】同建具の上部を拡大して示す縦断面図である。
【図７】同建具の横断面図である。
【図８】同建具の室外側正面図である。
【図９】同建具が設置される建物の縦断面図である。
【発明を実施するための形態】
【００１０】
以下、本発明の実施の形態を図面に基づいて説明する。図１〜４は、本発明の建具の第１実施形態（請求項１記載の発明の実施形態）を示している。本建具は、ビルの躯体開口部に取付けられて窓（連窓）を構成するものであり、図１，２に示すように、建具枠１と、建具枠１の上部を建具枠上側の躯体８ａに連結する上部ブラケット（ブラケット）２と、建具枠１の下部を建具枠下側の躯体８ｂに連結する下部ブラケット９とを備えている。
【００１１】
建具枠１は、上枠１０と下枠１１と左右の縦枠１２，１２を枠組みし、その内側にガラス１３を嵌め込んで構成してある。図１に示すように、上枠１０と躯体８ａとの間の隙間には、ヒレ状のタイト材１４と伸縮自在なパッキン１５が設けてある。下枠１１と躯体と８ｂの間は、シール材１６でシールしてある。建具枠１は、図２に示すように、左右方向に複数並べて設けてあり、隣接する縦枠１２，１２間の隙間をシール材１７でシールしてある。上枠１０と下枠１１と縦枠１２は、図１に示すように、エッジクリアランス１８を小さくし、見付寸法をなるべく細くしてある。
【００１２】
建具枠１は、上下寸法に対して左右寸法が大きい横長の長方形になっており、そのため地震の揺れ（特に横揺れ）に伴う躯体８ａ，８ｂの変形の影響を受けやすい。そこで本建具は、地震による大きな荷重を受けて躯体８ａ，８ｂが変形（変位）しても、建具枠１が変形せずガラス１３が破損しないように、建具枠１の上部を躯体８ａに連結する上部ブラケット２に、躯体８ａの変位を吸収する機構を備えている。
【００１３】
上部ブラケット２は、図２に示すように、左右に隣り合う建具枠１，１の上部に跨って設けてあり、建具枠１，１に取付く建具枠取付部３と、躯体８ａに取付く躯体取付部４と、建具枠取付部３と躯体取付部４とをつなぐスライド部５とを有している。
建具枠取付部３は、図３に示すように、右側の建具枠１に取付く右側建具枠取付部材１９と、左側の建具枠１に取付く左側建具枠取付部材２０とに分割してあり、各建具枠取付部材１９，２０の左右両端部にベアリング取付部２１が設けてあり、各ベアリング取付部２１には、後述するスライド部５の横ガイド部材２２を周囲の三方から挟み込むように、ベアリング２３が３つずつ回転自在に取付けられており、これらのベアリング２３が回転することで横ガイド部材２２（スライド部５）が建具枠取付部３に対して抵抗なくスムーズに左右方向にスライドする。
躯体取付部４は、図２，３に示すように、躯体８ａにボルト・ナット２４で取付けられるプレート２５と、プレート２５の左右両端部に垂下して設けた丸棒状の縦ガイド部材２６，２６とを有している。縦ガイド部材２６の下端には、スライド部材５が下に抜け落ちるのを防ぐストッパー２７が設けてある。
スライド部５は、図１〜３に示すように、左右方向に水平にのびる丸棒状の横ガイド部材２２と、横ガイド部材２２から上方に立ち上げた左右の立ち上げ片２８，２８と、左右の立ち上げ片２８，２８にそれぞれ取付けられたベアリング取付部２９を有し、各ベアリング取付部２９には、躯体取付部４の縦ガイド部材２６を周囲の三方から挟み込むように、ベアリング３０が上部と下部に３つずつ回転自在に取付けられており、これらのベアリング３０が回転することで、スライド部５が躯体取付部３の縦ガイド部材２６に対して抵抗なくスムーズに上下方向にスライドする。
【００１４】
上部ブラケット２は以上のように構成され、スライド部５は、建具枠取付部３に対して建具枠１の縁に沿う面内方向（左右方向）にスライド自在である。さらにスライド部５は、躯体取付部４に対して建具枠１の縁に直交する面内方向（上下方向）にスライド自在である。これにより上部ブラケット２は、地震の際に上側の躯体８ａが下側の躯体８ｂに対して左右方向及び上下方向に変位しても、その変位を吸収することができる。吸収できる変位量は、右方向及び左方向にそれぞれ約３０ｍｍ、上方及び下方にそれぞれ約１５ｍｍとなっている。
【００１５】
下部ブラケット９は、図１，２に示すように、建具枠１の下部を下側の躯体８ｂに動かないように固定している。
【００１６】
図４は、地震が発生し、建具枠上側の躯体８ａが下側の躯体８ｂに対して右方向及び上方に変位したときの状態を示している。同図に示すように本建具は、躯体８ａがそのように変位したときに、スライド部５が建具枠１の縁に沿う面内方向にスライドし、且つ建具枠１の縁に直交する面内方向にスライドすることで躯体８ａの変位を吸収できるので、建具枠１の変形を防ぎ、ガラス１３の破損を防止することができる。スライド部５が、縦横のガイド部材２２，２６と、その周囲に配置したベアリング２３，３０によりスライドする構造としたので、抵抗なくスムーズにスライドさせられ、躯体８ａの変位に瞬時に追随できる。
【００１７】
図５〜９は、本発明の建具の第２実施形態（請求項２記載の発明の実施形態）を示している。本建具３１は、図５，８，９に示すように、建物の１階部分の外壁を成すカーテンウォールに適用したものであり、左右方向に間隔をおいて設けた複数の方立６，６，…と、方立６，６，…の上部間に架設した上枠３２と、方立６，６，…の下部間に架設した下枠３３と、方立６，６，…と上枠３２と下枠３３とで形成される開口部に取付けたガラス３４と、方立６の上部を躯体３５に取付けるためのブラケット３６を備えている。建物は、図９に示すように、２階部分の躯体３５が屋外側に張り出しており、そのため２階での人の移動や屋根５１への積雪等により、２階の床を支える梁３５ａが上下に変位する（図５（ａ），（ｂ）参照）。そこで本建具は、ブラケット３６に梁３５ａの上下方向の変位を吸収する機構を設けてある。
【００１８】
方立６は、図７に示すように、室内側に矩形の中空断面の板状の本体部３７を有し、本体部３７の室外側に見付壁３８と見込壁３９がＴ字形に形成してあり、見込壁３９の室外側端部に着脱自在な押縁４０が取付けられ、見付壁３８と押縁４０の間にガラス３４の側縁部をガスケット４１とシール材４２を介して保持してある。方立６は、エッジクリアランス４３を小さくし、見付寸法をなるべく細くしてある。
【００１９】
ブラケット３６は、図６，７に示すように、方立６に取付く縦材取付部７と、躯体３５に取付く躯体取付部４と、縦材取付部７と躯体取付部４をつなぐスライド部５とを有している。本実施形態では、縦材取付部７がスライド部５と一体に形成されている。
縦材取付部７は、方立６の室内側端部を左右から挟み込むように設けられ、ボルト・ナット４４で方立６に固定してある。
躯体取付部４は、図７に示すように、見付壁４５と見込壁４６とからなる平面視Ｔ字形に形成してあり、見付壁４５が躯体３５にボルト・ナット４７で固定してある。見込壁４６の室外側部には、上部と下部とにベアリング４８が左右方向の軸で回転自在に左右両側に取付けてある。
スライド部５は、図７に示すように、略Ｃ字形断面のガイド部材４９を上下方向に有しており、ガイド部材４９の室外側壁４９ａと室内側壁４９ｂの間に躯体取付部４のベアリング４８が係合している。室外側壁４９ａと室内側壁４９ｂには、ベアリング４８の横移動を規制する突条５２が形成してある。したがって、ベアリング４８の回転によりスライド部５は躯体取付部４に対して上下方向に抵抗なくスムーズにスライドできるようになっている。スライド部５は、図６中に実線で示す基準位置から、仮想線で示すように上方に５０ｍｍ、下方に１００ｍｍスライドできるようになっている。
なお、方立６の下部は、図５に示すように、ブラケット５０により１階の床部に動かないように固定してある。
【００２０】
図５は本建具３１の縦断面図であって、（ａ）は正規状態、（ｂ）は積雪等により躯体（梁）３５ａが１００ｍｍ下に下がった状態を示している。本建具は、そのように躯体３５ａが下に下がったときに、スライド部５が躯体取付部４に対して上下にスライドする（実際には、スライド部５の位置が固定で、躯体取付部４が上下にスライドする）ことで、躯体３５ａの変位を吸収することができるので、方立６の変形を防ぎ、ガラス３４の破損を防止することができる。スライド部５は、ガイド部材４９と、ガイド部材４９と係合するベアリング４８によりスライド自在としてあるので、抵抗なくスムーズにスライドでき、躯体３５ａの変位に瞬時に追随できる。
【００２１】
以上に述べたように本建具（第１実施形態）は、建具枠１と、建具枠１を躯体８ａに取付けるブラケット（上部ブラケット）２とを備え、ブラケット２は、建具枠１に取付く建具枠取付部３と、躯体８ａに取付く躯体取付部４と、建具枠取付部３と躯体取付部４とをつなぐスライド部５とを有し、スライド部５は、建具枠取付部３に対して建具枠１の縁に沿う面内方向にスライド自在であることで、建物に大きな荷重が加わって躯体８ａが変形しても、スライド部５が建具枠１の縁に沿う面内方向にスライドすることで建具枠１の変形を抑え、ガラス１３の破損を防ぐことができる。また、エッジクリアランス１８を大きく取る必要がないため、意匠性も良い。
ブラケット２は、スライド部５が建具枠取付部３に対して建具枠１の縁に沿う面内方向にスライド自在であることに加え、スライド部５が躯体取付部４に対して建具枠１の縁に直交する面内方向にスライド自在であることで、地震の横揺れに伴う躯体８ａの横方向の変位に加え、地震の縦揺れに伴う躯体８ａの縦方向の変位も同時に吸収できる。
スライド部５は、ガイド部材２２，２６と、ガイド部材２２，２６に当接するベアリング２３，３０によりスライド自在としてあるので、抵抗なくスムーズにスライドし、躯体８ａの変位に瞬時に追随できる。
【００２２】
本建具（第２実施形態）は、方立６又は縦枠よりなる縦材６と、縦材６を躯体３５に取付けるブラケット３６とを備え、ブラケット３６は、縦材６に取付く縦材取付部７と、躯体３５に取付く躯体取付部４と、縦材取付部７と躯体取付部４とをつなぐスライド部５とを有し、スライド部５は、躯体取付部４に対して上下方向にスライド自在であることで、建物に大きな荷重が加わって躯体３５が変形しても、スライド部５が上下方向にスライドすることで縦材６の変形を抑え、ガラス３４の破損を防ぐことができる。また、エッジクリアランス４３を大きく取る必要がないため、意匠性も良い。
スライド部５は、ガイド部材４９と、ガイド部材４９に当接するベアリング４８によりスライド自在としてあるので、抵抗なくスムーズにスライドし、躯体３５の変位に瞬時に追随できる。
【００２３】
本発明は以上に述べた実施形態に限定されない。ガラスの周囲の枠（建具枠、方立、縦枠）の形状、材質は、適宜変更することができる。建具枠は、実施形態のように垂直に設置したものに限らず、例えば、室外側に倒れるように斜めに設置してあったり、水平に設置してあってもよい。スライド部は、ベアリングの他、円筒状のコロやローラー等を用いることもできる。ベアリング等が当接するガイド部材の形状は、適宜変更することができる。本発明は、連窓、カーテンウォール、天窓、単体サッシ等、あらゆる建具に使用することができ、嵌め殺し窓に限らず、枠内に障子を開閉自在に設けたものであってもよい。
【符号の説明】
【００２４】
１  建具枠
２  上部ブラケット（ブラケット）
３  建具枠取付部
４  躯体取付部
５  スライド部
６  方立（縦材）
７  縦材取付部
３６  ブラケット
【図１】
2020186576.tif 000003
【図２】
2020186576.tif 000004
【図３】
2020186576.tif 000005
【図４】
2020186576.tif 000006
【図５】
2020186576.tif 000007
【図６】
2020186576.tif 000008
【図７】
2020186576.tif 000009
【図８】
2020186576.tif 000010
【図９】
2020186576.tif 000011